(57)【要約】【課題】スライドバーが押し戻されるのを防止或いは可能にするストッパー機構を有する動物用の連結具を提供する。【解決手段】動物用の連結具ＳＨＬ１〜ＳＨＬ７は、フック部と、フック部の端部から第１の方向Ｄｓに延在する軸部ＳＬと、第１の方向に沿って往復移動することによりフック部を開閉するスライドバーＳｂと、軸部の周囲に、第１の方向を軸として回動可能に装着されるロック部材Ｌ１〜Ｌ７と、スライドバーに連結されて第１の方向に対して垂直な第２の方向に突出する操作部Ｋｎとを備え、ロック部材は、軸部を回動可能に収容する円柱状の空間が形成された筒状部ＣＬ１〜ＣＬ６と、筒状部のフック部側端部の一部よりフック部に向かって所定の長さだけ延在する突出部Ｐｒ１、Ｐｒ４、Ｐｒ５、Ｐｒ６、Ｐｒ７とを含み、突出部は、ロック部材の回動により、操作部の少なくとも一部に対向する或いは対向しない。【選択図】図１
2015035956.tif 000002
【特許請求の範囲】
【請求項１】
連結対象に連結されるフック部と、
前記フック部の端部から、第１の方向に延在する軸部と、
前記第１の方向に沿って往復移動することにより前記フック部を開閉するスライドバーと、
前記軸部の周囲に、前記第１の方向を軸として回動可能に装着されるロック部材と、
前記スライドバーに連結されて前記第１の方向に対して垂直な第２の方向に突出する操作部とを備え、
前記ロック部材は、
前記軸部を回動可能に収容する円柱状の空間が形成された筒状部と、
前記筒状部の前記フック部側端部の一部より当該フック部に向かって所定の長さだけ延在する突出部とを含み、
前記突出部は、前記ロック部材の回動により、前記操作部の少なくとも一部に対向する或いは対向しないことを特徴とする、動物用の連結具。
【請求項２】
前記ロック部材は、前記軸部に対する回動方向の位置を固定する回り止めを備える、請求項１に記載の動物用の連結具。
【請求項３】
前記筒状部の内周面から、前記軸部に当接可能に突出する当接部を備える、請求項１及び請求項２のいずれかに記載の動物用の連結具。
【請求項４】
前記当接部は突起状に形成されていることを特徴とする、請求項３に記載の動物用の連結具。
【請求項５】
前記当接部は、周方向に延在して形成されていることを特徴とする、請求項３に記載の動物用の連結具。
【請求項６】
前記当接部は、前記軸部に弾性的に当接することを特徴とする、請求項３、請求項４、及び請求項５のいずれか一項に記載の動物用の連結具。
【請求項７】
前記突出部は、前記第１の方向にスライド可能であることを特徴とする、請求項１〜請求項６のいずれか一項に記載の動物用の連結具。
【請求項８】
前記操作部は、
つまみ部と、
前記つまみ部をスライドバーに接続する接続部とを含み、
前記突出部は、前記つまみ部に対向可能な座部を含むことを特徴とする、請求項１〜請求項７のいずれか一項に記載の動物用の連結具。
【請求項９】
前記突出部は、前記接続部に対向可能な背部をさらに含むことを特徴とする、請求項８に記載の動物用の連結具。
【請求項１０】
前記操作部は、
つまみ部と、
前記つまみ部をスライドバーに接続する接続部とを含み、
前記突出部は、前記接続部に対向可能な座部を含むことを特徴とする、請求項１〜請求項７のいずれか一項に記載の動物用の連結具。
【発明の詳細な説明】
【技術分野】
【０００１】
本発明は、主として犬や猫などの動物の装着帯や装着衣に設けられた連結環に、引き紐や係留紐を連結するのに用いられる動物用の連結具に関する。
【背景技術】
【０００２】
以下に、図３５、図３６、図３７、図３８、及び図３９を参照して、従来の動物用の連結具について説明する。図３５に、従来の連結具１００を介して、引紐１９０が首輪１１０に繋がれている様子を示す。図３６に示すように、連結具１００は、首輪１１０（図３５）に取り付けられているリング１０８に対して着脱可能に構成されているスナップフック部１０４と、引紐１９０が係止されるＤ字状の連結リング１０３とを含む。スナップフック部１０４は、Ｃ字状のフック部１１１と軸部１１２とが一体形成されている。軸部１１２には、フック部１１１とは反対側の軸端からフック部１１１に向かって、大径部１１６、小径部１１７、及び大径部１１５が順番に形成されている。連結リング１０３のＤ字状の一辺（直線部）には貫通孔１１４ａが形成されている。小径部１１７が貫通孔１１４ａに嵌合された、つまり大径部１１６及び大径部１１５が連結リング１０３の一辺（直線部）を挟むような状態で、連結リング１０３が軸部１１２（フック部１１１）に回転自在に取り付けられている。
【０００３】
軸部１１２には、軸方向Ｄｓに沿って、フック部１１１に近い先端面１１２ａに開口１２１を有する有底の穴１２２が形成されている。軸部１１２には開口１２１から軸方向Ｄｓに沿ってガイド溝１２３が形成されている。穴１２２の内部には、コイルバネ１２４と軸方向Ｄｓに沿って移動可能なスライドバー１２５とが順番に、コイルバネ１２４がスライドバー１２５によって圧縮されるように、挿入されている。スライドバー１２５は圧縮されたコイルバネ１２４の伸張力により、フック部１１１の先端面１１１ａにスライドバー１２５の先端が当接するように付勢されている。スライドバー１２５には、凸状の把持部１２６が一体に形成されており、把持部１２６はガイド溝１２３から穴１２２の外側に突出するように取り付けられる。
【０００４】
連結具１００では、コイルバネ１２４の付勢力に抗して、把持部１２６を一時的に連結リング１０３側にスライドさせることにより、スライドバー１２５の先端面とフック部１１１の先端面１１１ａとが分離され、これらの間に間隙が形成される。把持部１２６はスライドバー１２５をスライド動作させるための操作部である。この意味において、以降把持部１２６を「操作部１２６」と称する。
【０００５】
間隙が形成された状態で、首輪１１０（図３５）のリング１０８にフック部１１１を引掛けることにより、リング１０８とフック部１１１（スナップフック部１０４）とを連結できる。その後、再びスライドバー１２５の先端面をフック部１１１の先端面１１１ａに当接させ、フック部１１１がスライドバー１２５で閉じられる。
【０００６】
上述の従来の連結具１００では、他の部材と連結中はスライドバー１２５が作用してフック部１１１（ナス環）が閉じられるように構成されている。これらが正常に作動している限り、安全に連結状態が保たれる。しかしながら、使用状況によっては、連結が誤って解除されることがある。
【０００７】
例えば、動物（犬ａ）の引き連れ中や係留中に、動物が何かに驚いたり、興味を示して異常な動きをしたりする際に、スナップフック部１０４とリング１０８との連結が不用意に解除される問題がある。この予期せぬ連結解除は、動物の異常な動きに起因する。つまり、動物の異常な動きにより、首輪１１０のリング１０８がフック部１１１の操作部１２６を押動する状態になることがある。動物が引き続き不規則に動くと、何かの拍子に、ユーザの意思に反してスライドバー１２５（操作部１２６）が後退させられて、スナップフック部１０４の開放部が開きリング１０８が外れてしまうことがある。
【０００８】
図３７に、ユーザの意思に反するスライドバーの後退の防止を図った動物用の連結具の一例として、特許文献１に提案されている連結具を示す。連結具２００は、基本的に図３６に示した連結具１００に、スライドバー１２５の後退を妨げるストッパー機構が追加されている。以下に、若干の構造の違いはあっても基本的に同機能を有する部材は連結具１００に於ける部材と同じ符号を付すと共に説明を省略し、連結具２００に固有のストッパー機構に関して重点的に説明する。
【０００９】
ストッパー機構は、ストッパー６と索条２３とで構成されている。索条２３はストッパー６に取り付けられている。索条２３が連結具２００のフック部１１１に通されることによって、ストッパー６とスナップフック部１０４とが連結されている。ストッパー６は、弾性材によって、軸部１１２にその側方から弾性的に着脱できるように過半円弧（優弧）断面部を有して着脱口６ａが側方に開放するように形成されている。ストッパー６は、着脱口６ａを弾性的に開きながら軸部１１２を受け入れることによって、軸部１１２に装着される。この装着状態でストッパー６は、操作部１２６と連結リング１０３の引っ掛り部３ａとの間で突っ張って、操作部１２６を介してスライドバー１２５の後退を阻止する。これにより、ユーザの意思に反して、スナップフック部１０４の開放部が開きリング１０８（図３５）が外れてしまう事態の防止が図られている。
【００１０】
ユーザの意思により、リング１０８を連結具２００（スナップフック部１０４）から外す場合には、ユーザは先ずストッパー６を再度弾性的に開きながら軸部１１２からストッパー６を取り外す。取り外されたストッパー６は、索条２３によって連結具２００（フック部１１１）に連結された状態に保たれることにより、紛失防止が図られている。この状態で、ユーザは操作部１２６（スライドバー１２５）を後退させて、スナップフック部１０４の開放部を開く。
【００１１】
図３８及び図３９に、ユーザの意思に反するスライドバーの後退の防止を図った動物用の連結具の更なる例として、特許文献２に提案されている連結具を示す。図３８に示す連結具２０２は、基本的に上述の連結具２００（図３７）において、ストッパー６がロック部材１２に置き換えられると共に連結バンド２１が追加された構成を有している。ロック部材１２は、索条２３を取り付けるための構造を有していない点を除いて、基本的にストッパー６と同様に構成されている。
【００１２】
ロック部材１２は、切り離し部１１の一縁１１ａ側から延びて切り離し部の他縁１１ｂ側に跨って、軸部１１２に巻き付けて、ロック部材１２の外面に重なり状態とされる連結バンド２１を有し、この重なり状態の連結バンド２１とロック部材１２とを着脱できるように係合止着する係脱具２２が設けられている。これにより、ロック時にロック部材１２を係脱させようとする力が働いても、切り離し部１１の左右への拡幅を阻止されて、ロック部材１２のユーザの意思に反する離脱が防止され、さらには操作部７のロック解除が防止される。
【００１３】
図３９に示す連結具２０４においては、ロック部材１２が本体２６と開閉部材２４とより構成されている。開閉部材２４は、本体２６の外周に周方向に移動できるように嵌り合い、かつ、本体２６の切り離し部１１に周方向位置を一致させて開放するように左右に切り離した開放用切り離し部２５を周方向一部に有している。開放用切り離し部２５を本体２６の切り離し部１１から周方向に移動させて本体２６の切り離し部１１が閉じられる。これにより、ロック時にロック部材１２を係脱させようとする力が働いても、開閉部材２４によって切り離し部１１の左右への拡幅を阻止されて、ロック部材１２のユーザの意思に反する離脱が防止され、さらには操作部７のロック解除が防止される。
【先行技術文献】
【特許文献】
【００１４】
【特許文献１】特開２０１０−８１９０２号公報
【特許文献２】特開２０１１−２２９４５９号公報
【発明の概要】
【発明が解決しようとする課題】
【００１５】
上述の特許文献１に提案されている連結具２００のストッパー機構は、操作部１２６のロック及びロック解除のために、ストッパー６の切り離し部を周方向に広げて、連結具２００の軸部１１２に取り付け及び取り外さなければならない。つまり、ユーザは操作部１２６のロック或いはロック解除の度に、ストッパー６を周方向へ大きく弾性変形させる必要がある。このような、周方向への軸部１１２の外形より大きな弾性変形の繰り返しは、ストッパー６の材質劣化による強度劣化、機能不全、及び寿命の短縮化を招く。
【００１６】
また、ストッパー６をフック部１１１に連結する索条２３は、スナップフック部１０４の開放部が開いた時点では、フック部１１１から容易に外れてしまい、ストッパー６の連結具２００との連結が解けてしまう。この場合、索条２３によるストッパー６の紛失防止が無効になる。また、操作部１２６のロックのために軸部１１２に装着されているストッパーは、外力によってユーザの意思に反して軸部１１２から容易に離脱してしまう。索条２３はこのようなストッパー６の離脱を防止できるものではない。
【００１７】
特許文献２に提案の連結具２０２においては、連結バンド２１を係脱具２２に係止させることによって、切り離し部１１の左右への拡幅が阻止されて、ロック部材１２のユーザの意思に反する離脱が防止され、さらには操作部７のロック解除が防止される。しかしながら、操作部７のロック或いはロック解除の度に、連結バンド２１を係脱具２２から係脱して、ロック部材１２を周方向に大きく弾性変形させて軸部１１２に取り付け或いは取り外さねばならない。ロック部材１２の材質劣化による強度劣化、機能不全、及び寿命の短縮化を招く。なお、軸部１１２から取り外されたロック部材１２に対する、紛失防止が図られていない。
【００１８】
連結具２０４においては、本体２６の切り離し部１１が開閉部材２４で閉じられた状態では、ロック部材１２のユーザの意思に反する離脱が防止され、さらには操作部７のロック解除が防止される。しかしながら、操作部７のロック或いはロック解除の度に、互いに嵌合状態にある本体２６と開閉部材２４とを同時に周方向に軸部より大きく弾性変形させる必があり、本体２６のみを弾性変形させる時に比べてユーザに大きな負担がかかる。また、ロック部材１２（本体２６及び開閉部材２４）の材質劣化による強度劣化、機能不全、及び寿命の短縮化を招く。なお、軸部から取り外されたロック部材１２に対する、紛失防止が図られていない。
【００１９】
本発明は、上述の問題点に鑑み、本体に取り付けられた状態で、スライドバーが押し戻されるのを防止或いは可能にするストッパー機構を有する動物用の連結具を提供することを目的とする。
【課題を解決するための手段】
【００２０】
上記の目的を達成するために、本発明に係る動物用の連結具は、
連結対象に連結されるフック部と、
前記フック部の端部から、第１の方向に延在する軸部と、
前記第１の方向に沿って往復移動することにより前記フック部を開閉するスライドバーと、
前記軸部の周囲に、前記第１の方向を軸として回動可能に装着されるロック部材と、
前記スライドバーに連結されて前記第１の方向に対して垂直な第２の方向に突出する操作部とを備え、
前記ロック部材は、
前記軸部を回動可能に収容する円柱状の空間が形成された筒状部と、
前記筒状部の前記フック部側端部の一部より当該フック部に向かって所定の長さだけ延在する突出部とを含み、
前記突出部は、前記ロック部材の回動により、前記操作部の少なくとも一部に対向する或いは対向しないことを特徴とする。
【発明の効果】
【００２１】
本発明に係る動物用の連結具は、連結対象の移動がスライドバーに押し戻し力として伝わるのを防止できる。
【図面の簡単な説明】
【００２２】
【図１】本発明の実施の形態１に係る動物用の連結具の斜視図であり、（ａ）は操作部がロックされた状態を示し、（ｂ）は操作部がロック解除された状態を示す。
【図２】図１に示す連結具におけるスナップフック部の斜視図である。
【図３】図１に示すロック部材の構成を示す斜視図であり、（ａ）は図１における連結具から取り出した状態のロック部材を示し、（ｂ）はロック部材の分解された状態を示す。
【図４】図３に示すロック部材の構成を示す斜視図であり、（ａ）は図３（ａ）において矢印ＩＶａの方向から見たロック部材を示し、（ｂ）は図３（ｂ）において矢印ＩＶｂの方向から見たロック部材を示す。
【図５】図１に示すロック部材を様々な角度から示す図である。
【図６】図１に示すロック部材を構成する、半殻体を様々な角度から示す図である。
【図７】図１に示すロック部材を構成する、突出部が連続して形成された半殻体を様々な角度から示す図である。
【図８】図１（ａ）に示す連結具を様々な角度から示す図である。
【図９】図１（ｂ）に示す連結具を様々な角度から示す図である。
【図１０】本発明の実施の形態２に係る動物用の連結具におけるロック部材の構成を示す分解斜視図である。
【図１１】図１０に示すロック部材を構成する、半殻体を様々な角度から示す図である。
【図１２】図１０に示すロック部材を構成する、突出部が連続して形成された半殻体を様々な角度から示す図である。
【図１３】図１０に示すロック部材により操作部がロックされた状態の連結具を様々な角度から示す図である。
【図１４】図１０に示すロック部材により操作部がロック解除された状態の連結具を様々な角度から示す図である。
【図１５】本発明の実施の形態３に係る動物用の連結具におけるロック部材の構成を示す分解斜視図である。
【図１６】図１５に示すロック部材を構成する、半殻体を様々な角度から示す図である。
【図１７】図１５に示すロック部材を構成する、突出部が連続して形成された半殻体を様々な角度から示す図である。
【図１８】図１５に示すロック部材により操作部がロックされた状態の連結具を様々な角度から示す図である。
【図１９】図１５に示すロック部材により操作部がロック解除された状態の連結具を様々な角度から示す図である。
【図２０】本発明の実施の形態４に係る動物用の連結具の斜視図であり、（ａ）は操作部がロックされた状態を示し、（ｂ）は操作部がロック解除された状態を示す。
【図２１】図２０に示すロック部材の構成を示す分解斜視図である。
【図２２】図２０に示すロック部材を構成する、半殻体を様々な角度から示す図である。
【図２３】図２０に示すロック部材を構成する、突出部が連続して形成された半殻体を様々な角度から示す図である。
【図２４】図２０（ａ）に示す連結具を様々な角度から示す図である。
【図２５】図２０（ｂ）に示す連結具を様々な角度から示す図である。
【図２６】本発明の実施の形態５に係る、操作部がロックされた状態の動物用の連結具を様々な角度から示す図である。
【図２７】本発明の実施の形態５に係る、操作部がロック解除された状態の連結具を様々な角度から示す図である。
【図２８】図２６に示すロック部材を様々な角度から示す図である。
【図２９】図２７に示すロック部材を様々な角度から示す図である。
【図３０】本発明の実施の形態６に係る、操作部がロックされた状態の動物用の連結具を様々な角度から示す図である。
【図３１】本発明の実施の形態６に係る、操作部がロック解除された状態の連結具を様々な角度から示す図である。
【図３２】図３０に示すロック部材を様々な角度から示す図である。
【図３３】本発明の実施の形態７に係る動物用の連結具の斜視図であり、（ａ）は操作部がロックされた状態を示し、（ｂ）は操作部がロック解除された状態を示す。
【図３４】図３３に示すロック部材の構成を示す分解斜視図である。
【図３５】従来の動物用の連結具を介して、引き紐が首輪に繋がれている様子を示す図である。
【図３６】図３５に示す動物用の連結具の斜視図である。
【図３７】特許文献１に提案されている動物用の連結具の斜視図である。
【図３８】特許文献２に提案されている動物用の連結具を様々な角度から示す図である。
【図３９】特許文献２に提案されているさらなる動物用の連結具を様々な角度から示す図である。
【発明を実施するための形態】
【００２３】
（実施の形態１）
以下に図１、図２、図３、図４、図５、図６、図７、図８、及び図９を参照して、本発明の実施の形態１に係る動物用の連結具について説明する。
【００２４】
図１に示すように、本実施の形態に係る動物用の連結具ＳＨＬ１（以降、「連結具」）は、スナップフック部ＨＰとロック部材Ｌ１とを含む。スナップフック部ＨＰは開閉可能なフック部Ｈｏと軸部ＳＬとスライドバーＳｂとを備え、ロック部材Ｌ１はスナップフック部ＨＰの軸部ＳＬの周囲に回動可能に装着されている。ロック部材Ｌ１は、ユーザの意思に反するスライドバーＳｂの移動（後退）を妨げるストッパー機構を構成する。
【００２５】
図１（ａ）に、スライドバーＳｂの移動（後退）がロック部材Ｌ１によって妨げられた状態（以降、「ロック状態」）の連結具ＳＨＬ１を示す。図１（ｂ）に、スライドバーＳｂの移動（後退）が可能な状態（以降、「ロック解除状態」）の連結具ＳＨＬ１を示す。スライドバーＳｂがロック状態に在る時のロック部材Ｌ１のスナップフック部ＨＰに於ける位置をロック位置と呼び、スライドバーＳｂがロック解除状態に在る時のロック部材Ｌ１のスナップフック部ＨＰに於ける位置をロック解除位置と呼ぶ。つまり、ロック部材Ｌ１をロック位置或いはロック解除位置に回動させることによって、スライドバーＳｂを容易にロック状態或いはロック解除状態にすることができる。先ず、スナップフック部ＨＰの構成について説明する。
【００２６】
図２に示すように、スナップフック部ＨＰは、図３６を参照して説明した従来のスナップフック部１０４と同様に構成されている。具体的にはスナップフック部ＨＰは、Ｃ字状のフック部Ｈｏと、フック部Ｈｏに一体に形成された筒状の軸部ＳＬと、軸部ＳＬの内部に収容されているスライドバーＳｂとを含む。フック部Ｈｏの先端面と軸部ＳＬの先端面とは、所定の間隔を置いて対向している。軸部ＳＬのフック部Ｈｏの反対側の端部に、大径部ＰＭＤが形成されている。なお、軸部ＳＬの端部に引き綱などの係留或いは牽引手段との接続に用いられる連結リング（不図示）が回転自在に連結されていてもよい。
【００２７】
軸部ＳＬには、軸方向Ｄｓに沿って溝ＧＳＬが形成されている。スライドバーＳｂは、軸部ＳＬの内部に収容されているばね（不図示）によって、その先端面がフック部Ｈｏの先端面に当接するように付勢される。スライドバーＳｂには操作部Ｋｎが一体に形成されており、操作部Ｋｎは溝ＧＳＬを通じて軸部ＳＬの外部に露出している。操作部Ｋｎは、図１に示すように、ユーザが直接指でふれて操作できるつまみ部Ｋｎａとつまみ部ＫｎａとスライドバーＳｂとを接続する接続部Ｋｎｂとに分けることができる。
【００２８】
上記ばねの付勢力に抗して、操作部Ｋｎを軸方向Ｄｓに沿ってフック部Ｈｏの先端面から離間する方向（大径部ＰＭＤ側）に移動させることにより、スライドバーＳｂの先端面とフック部Ｈｏの先端面とが分離され、これらの間に間隙が形成される。以降、操作部Ｋｎの大径部ＰＭＤ側への移動を、操作部Ｋｎのフック部開放動作と称する。
【００２９】
図１に戻って、連結具ＳＨＬ１におけるストッパー機構について説明する。上述のように、ユーザの意思に反するスライドバーＳｂの移動（後退）を妨げるストッパー機構は、軸部ＳＬに回動可能に装着されたロック部材Ｌ１により構成される。ロック部材Ｌ１が回動する方向Ｄｒを、以降回動方向Ｄｒと称する。スライドバーＳｂの移動（後退）の阻止は、ロック部材Ｌ１の一部分が操作部Ｋｎ（つまみ部Ｋｎａ或いは接続部Ｋｎｂ）に当接して操作部Ｋｎのフック部開放動作を阻止することにより行われる。
【００３０】
図１（ａ）及び（ｂ）に示すように、ロック部材Ｌ１は、筒状部ＣＬ１と、筒状部ＣＬ１に連続的に形成された突出部Ｐｒ１とを含む。ロック部材Ｌ１の側壁は、軸方向Ｄｓにおける上端部及び下端部に比して中央部が厚く形成されている。なお、突出部Ｐｒ１も筒状部ＣＬ１との連続部から上端部に向かって薄く形成されている。筒状部ＣＬ１は内部に、軸部ＳＬを回動可能に収容する円柱状の空間が形成された部材である。なお、同円柱の中心軸を中心軸Ａｃとし、筒状部ＣＬ１の回動軸を回動軸Ａｒとし、それぞれ、図５、図６、及び図７に示す。
【００３１】
突出部Ｐｒ１は、筒状部ＣＬ１の軸方向Ｄｓにおける上端部からフック部Ｈｏの先端面側に延在している。突出部Ｐｒ１は、上端から所定の位置で軸方向Ｄｓと直交する方向に延在する座部Ｒｅ１を備える。座部Ｒｅ１から、突出部Ｐｒ１の上端部までの部分を背部Ｒｂと呼ぶ。座部Ｒｅ１が操作部Ｋｎ（主に、つまみ部Ｋｎａ）に当接することにより、スライドバーＳｂの移動（後退）が阻止される。本実施の形態において、ロック部材Ｌ１は、半殻体Ｓｈ１及びＳｈ１ｒの２つの部材が結合されて構成されると共に、突出部Ｐｒ１は半殻体Ｓｈ１ｒと一体的に構成されている。つまり、ロック部材Ｌ１から突出部Ｐｒ１を除いたものが筒状部ＣＬ１である。半殻体Ｓｈ１及びＳｈ１ｒについては後ほど説明する。
【００３２】
図１（ａ）に示すロック状態の連結具ＳＨＬ１において、ロック部材Ｌ１は突出部Ｐｒ１が軸方向Ｄｓ上で操作部Ｋｎと対向する。ユーザの意思に反して操作部Ｋｎが大径部ＰＭＤ側に移動されると、操作部Ｋｎはロック部材Ｌ１の座部Ｒｅ１に当接し、ユーザの意思に反する操作部ＫｎつまりスライドバーＳｂの移動（後退）が防止される。座部Ｒｅ１は操作部Ｋｎの下端部を受け止めることによりスライドバーＳｂの軸方向Ｄｓにおける移動を制限する。操作部Ｋｎが座部Ｒｅ１に当接するまでの移動距離は、フック部Ｈｏの先端面とスライドバーＳｂの先端面との離間距離がフック部Ｈｏに連結されている部材が通り過ぎることができない範囲に収まるように設定される。
【００３３】
ロック部材Ｌ１を回動方向Ｄｒに回動させて座部Ｒｅ１と操作部Ｋｎとの相対位置を変えることにより、操作部Ｋｎのロック状態を解除することができる。図１（ｂ）に示すロック解除状態の連結具ＳＨＬ１において、ロック部材Ｌ１は座部Ｒｅ１が軸方向Ｄｓ上で操作部Ｋｎと対向しない。これにより、操作部ＫｎつまりスライドバーＳｂの移動（後退）が可能になる。つまり、連結具ＳＨＬ１において、ロック部材Ｌ１を回動方向Ｄｒに回動させることにより、座部Ｒｅ１を操作部Ｋｎに対向或いは非対向させて、操作部Ｋｎのロックまたはロック解除を行うことができる。以降、ロック部材Ｌ１の構成及び機能について詳しく説明する。
【００３４】
図３、図４、図５、図６、及び図７を参照して、ロック部材Ｌ１の構成及びその機能に
ついて説明する。図３及び図４を参照して、ロック部材Ｌ１を構成する半殻体Ｓｈ１及びＳｈ１ｒの構成と共に、ロック部材Ｌ１の構成について説明する。図５〜図７を参照して、ロック部材Ｌ１、半殻体Ｓｈ１、及び半殻体Ｓｈ１ｒのそれぞれについてさらに説明する。
【００３５】
図３には、半殻体Ｓｈ１ｒ側から見たロック部材Ｌ１が示されている。なお、図３（ｂ）は結合される前の半殻体Ｓｈ１と半殻体Ｓｈ１ｒを示し、図３（ａ）は半殻体Ｓｈ１と半殻体Ｓｈ１ｒが結合されて構成されたロック部材Ｌ１が示されている。図４（ａ）は、図３（ａ）に於いて、半殻体Ｓｈ１側から（矢印ＩＶａ方向に）見たロック部材Ｌ１を示している。図４（ｂ）は、図３（ｂ）において半殻体Ｓｈ１側から（矢印ＩＶｂから）見たロック部材Ｌ１を示している。
【００３６】
上述のように、ロック部材Ｌ１は筒状の部材であって、筒状部ＣＬ１と突出部Ｐｒ１とを含む。ロック部材Ｌ１が連結具ＳＨＬ１の軸部ＳＬに装着された状態で、筒状部ＣＬ１の内面が軸部ＳＬの側面に対向する。軸部ＳＬの軸に垂直な断面は略円形である。筒状部ＣＬ１の内面には、ロック部材Ｌ１の軸部ＳＬ周りの回動を案内する機能を有している、回動案内手段が設けられている。回動案内の観点から筒状部ＣＬ１の内面は、軸部ＳＬの外形より大きく且つ少なくともその一部が略円筒状であることが好ましい。筒状部ＣＬ１の内面の断面形状は軸部ＳＬの外面の断面形状と概ね相似形であると共に、両者の中心軸が一致することがより好ましい。つまり、筒状部ＣＬ１の中心軸Ａｃと筒状部ＣＬ１の回動軸Ａｒとが一致することが好ましい。
【００３７】
ロック部材Ｌ１は、繰り返し行われる軸部ＳＬ周りの回動や操作部Ｋｎの受け止めの際の負荷に耐える必要があり、硬度と強度とが要求される。本実施の形態において、ロック部材Ｌ１はポリアセタール（Ｐｏｌｙａｃｅｔａｌ、Ｐｏｌｙｏｘｙｍｅｔｈｙｌｅｎｅ、略称ＰＯＭ）で構成される。ポリアセタールは非晶部分と結晶部分とが混在するために、強度、弾性率、耐衝撃性、及び摺動特性に優れたエンジニアリングプラスチックである。
【００３８】
図３及び図４に見て取れるように、ロック部材Ｌ１は半殻体Ｓｈ１と半殻体Ｓｈ１ｒとが互いに結合されている。筒状のロック部材Ｌ１は、半殻体Ｓｈ１とＳｈ１ｒとに２分割した部品から構成される。上述のように、突出部Ｐｒ１は半殻体Ｓｈ１ｒと一体的に構成されおり、筒状部ＣＬ１はロック部材Ｌ１から突出部Ｐｒ１を除く部分である。つまり、筒状部ＣＬ１は、半殻体Ｓｈ１と半殻体Ｓｈ１ｒとにより構成される。以下、半殻体Ｓｈ１及びＳｈ１ｒそれぞれの構成について説明し、次に半殻体Ｓｈ１と半殻体Ｓｈ１ｒとの結合について説明する。
【００３９】
以下に、図３を参照して主に半殻体Ｓｈ１ｒの外面側の構成について説明した後に、図４（ｂ）を参照して半殻体Ｓｈ１ｒの内面側の構成について説明する。図３に示すように、半殻体Ｓｈ１ｒは外面には、突出部Ｐｒ１の上端部に座部Ｒｅ１が形成され、溝Ｇｒが軸方向Ｄｓに延在して形成されている。溝Ｇｒは、底面Ｇｂｒと、互いに対向する一組の側面Ｇｓｒとによって規定されている。溝Ｇｒと座部Ｒｅ１との間に形成されたＵ字状のスリットＳによって規定されるタブＳｒｔを有する回り止めＳｒが形成されている。タブＳｒｔは上端部が半殻体Ｓｈ１ｒと一体的に連結された固定端部であり、他の部分は半殻体Ｓｈ１ｒから切り離された自由端部である。タブＳｒｔの表面と半殻体Ｓｈ１ｒの表面との間には段差が設けられている。つまりタブＳｒｔの厚さは、半殻体Ｓｈ１ｒの側壁及び座部Ｒｅ１の下部の厚さより小さい。
【００４０】
図４に見て取れるように、タブＳｒｔの内面の下端部（自由端部）から、ビットＳｒｉが求心方向に突出している。この突出により、ロック部材Ｌ１が軸部ＳＬに取り付けられた時に、ビットＳｒｉが軸部ＳＬの表面で外側に押されて、タブＳｒｔが弾性変形されることにより、求心力が生じ、ビットＳｒｉは軸部ＳＬの中心部に向かって付勢される。タブＳｒｔは上部の段差で座部Ｒｅ１の分厚い下部に接続されることにより、座部Ｒｅ１の機械強度を損なうことがなく、また自由端部の厚みを小さくすることにより弾性変形能が高められている。
【００４１】
ロック部材Ｌ１が軸部ＳＬに装着された状態で、回動方向Ｄｒ方向に回動されると、ビットＳｒｉ（回り止めＳｒ）が軸部ＳＬの溝ＧＳＬ上（ロック位置）に位置すると、ビットＳｒｉは付勢力により溝ＧＳＬに嵌まり込む。ビットＳｒｉが溝ＧＳＬに嵌まることによって、ロック部材Ｌ１が操作部Ｋｎに対してロック位置に位置決めがなされる。この意味において、回り止めＳｒと溝ＧＳＬとはロック部材Ｌ１がロック位置に位置する時の位置決め手段を構成する。なお、ロック部材Ｌ１を回動方向Ｄｒにさらに回動させることによりビットＳｒｉが溝ＧＳＬから外れると、ロック部材Ｌ１は操作部Ｋｎに対するロック位置から外れ、スライドバーＳｂはロック解除状態になる。なお、タブＳｒｔは機械強度が確保された座部Ｒｅ１の下部に接続されているので、回動によりビットＳｒｉが溝ＧＳＬが離脱する際に掛かる力に十分抗することができる。
【００４２】
図４（ｂ）に見て取れるように、半殻体Ｓｈ１ｒの側壁は、軸方向Ｄｓにおける上端部及び下端部に比して中央部が厚く形成されている。半殻体Ｓｈ１ｒの内面の上部及び下部には、それぞれ、好ましくは軸部ＳＬの外形状と相似な形状の領域Ｓｇｒ’及びＳｇｒが円周方向に帯状に延在して形成されている。なお、後述するように、半殻体Ｓｈ１の内面には、同様に軸部ＳＬの外形状と相似な形状の領域Ｓｇ’及びＳｇ（図３（ｂ））が形成されている。領域Ｓｇｒ’及びＳｇｒは領域Ｓｇ’及び領域Ｓｇと共に、半殻体Ｓｈ１ｒが半殻体Ｓｈ１と共にロック部材Ｌ１として軸部ＳＬに装着された状態で、軸部ＳＬの外周に対向または当接する。つまり、領域Ｓｇｒ’及びＳｇｒと領域Ｓｇ’及びＳｇとによって、上述のロック部材Ｌ１の軸部ＳＬ周りの回動を案内する回動案内手段ＭＧ（図５（ａ）及び図５（ｃ）に表示）が構成される。
【００４３】
領域Ｓｇｒには、突起Ｌｃｒが軸方向Ｄｓ及び周方向における略中央の位置に設けられている。突起Ｌｃｒは、半殻体Ｓｈ１ｒが半殻体Ｓｈ１と共にロック部材Ｌ１として軸部ＳＬに装着された状態で、軸部ＳＬの外周に圧接されて弾性変形することにより、筒状部ＣＬ１の内面と軸部ＳＬの外周との間の間隙に起因するロック部材Ｌ１のがたつきを抑制する。つまり、筒状部ＣＬ１の中心軸Ａｃと回動軸Ａｒとの一致が図られる。
【００４４】
半殻体Ｓｈ１ｒの円周方向の両端部にはそれぞれ端面Ｓｅｒ及びＳｅｒが形成されている。なお、後述するように、半殻体Ｓｈ１の円周方向の両端部には、同様に端面Ｓｅ及びＳｅ（図３（ｂ））が形成されている。半殻体Ｓｈ１ｒと半殻体Ｓｈ１は端面Ｓｅｒ及びＳｅｒと端面Ｓｅ及びＳｅとがそれぞれ当接された状態で以下に述べる結合手段によって結合されて、ロック部材Ｌ１を構成する。
【００４５】
端面Ｓｅｒ及びＳｅｒにはそれぞれ、一組の突起Ｐｉ及びＰｉと爪部Ｃｆｒとが設けられている。爪部Ｃｆｒの上下に、突起Ｐｉが１つずつ配置されている。爪部Ｃｆｒ及びＣｆｒの先端部はそれぞれ遠心方向に延在する返り部が設けられている。
【００４６】
引き続き図４を参照して、主に半殻体Ｓｈ１の外面側の構成について説明した後に、図３（ｂ）を参照して半殻体Ｓｈ１の内面側の構成について説明する。図４に示すように、半殻体Ｓｈ１の外面に、溝Ｇが軸方向Ｄｓに延在して形成されている。溝Ｇは、底面Ｇｂと、互いに対向する一組の側面Ｇｓとによって規定されている。半殻体Ｓｈ１において、溝Ｇの両側に略四角形の開口Ｈｃが１つずつ形成されている。
【００４７】
図３に戻って、ロック部材Ｌ１の内部側から見た半殻体Ｓｈ１の構成について説明する。図３（ｂ）に見て取れるように、半殻体Ｓｈ１の側壁は、上述の半殻体Ｓｈ１ｒの側壁（図４（ｂ））と同様に、軸方向Ｄｓにおける上端部及び下端部に比して中央部が厚く形成されている。上述のように、側壁の内面における領域Ｓｇ’及びＳｇは領域Ｓｇｒ’及びＳｇｒ（図４（ｂ））と共に、軸部ＳＬの外周に対向または当接することにより、ロック部材Ｌ１の回動案内手段ＭＧを構成する。領域Ｓｇには、領域Ｓｇｒに於ける突起Ｌｃｒ（図４（ｂ））と同様に、軸方向Ｄｓ及び周方向における略中央の位置に突起Ｌｃが形成されている。つまり、突起Ｌｃは、半殻体Ｓｈ１が半殻体Ｓｈ１ｒと共にロック部材Ｌ１として軸部ＳＬに装着された状態で、軸部ＳＬの外周に圧接されて弾性変形することにより、筒状部ＣＬ１の内面と軸部ＳＬの外周との間の間隙に起因するロック部材Ｌ１のがたつきを抑制する。なお、突起Ｌｃｒ及びＬｃの位置は、軸部ＳＬに装着した時のロック部材Ｌ１のがたつきの低減及び回動の円滑化の観点から適宜決定される。
【００４８】
半殻体Ｓｈ１の側壁の端面Ｓｅ及びＳｅには、それぞれ半殻体Ｓｈ１ｒの端面Ｓｅｒ及びＳｅｒに設けられている結合手段（突起Ｐｉ、爪部Ｃｆｒ）に対応する結合手段が設けられている。具体的には、半殻体Ｓｈ１ｒの端面Ｓｅｒにおける突起Ｐｉ及び爪部Ｃｆｒにそれぞれ対応する嵌合穴Ｈｉ及び板状部Ｐｅが設けられている。板状部Ｐｅは、開口Ｈｃの溝Ｇ側の部分と重ならず、半殻体Ｓｈ１が半殻体Ｓｈ１ｒと結合されたときに対応する爪部Ｃｆｒの返り部の少なくとも一部と当接するように形成されている。
【００４９】
半殻体Ｓｈ１の側壁の端面Ｓｅと半殻体Ｓｈ１ｒの側壁の端面Ｓｅｒとの結合は、図３（ｂ）及び図４（ｂ）において一点鎖線で表されるように、上述の突起Ｐｉがそれぞれ対応する嵌合穴Ｈｉに嵌まると共に、爪部Ｃｆｒが板状部Ｐｅと係合することにより行われる。なお、爪部Ｃｆｒの板状部Ｐｅとの係合は、爪部Ｃｆｒが開口Ｈｃに向かって移動する過程で、返り部が板状部Ｐｅの端部を乗り越えた後に板状部Ｐｅに係止することにより行われる。開口Ｈｃは、爪部Ｃｆｒの返り部が板状部Ｐｅを乗り越える時の爪部Ｃｆｒの先端部を許容できる空間を提供している。この観点から、開口Ｈｃは必ずしも貫通穴でなくても良く、凹部として形成されてもよい。
【００５０】
突起Ｌｃ及びＬｃｒは、筒状部ＣＬ１の内面と軸部ＳＬの外周との間の間隙の均等化（或いは解消）の観点から、半殻体Ｓｈ１及び半殻体Ｓｈ１ｒがロック部材Ｌ１として結合された状態で回転軸に対して対称となる位置に設けられることが好ましい。なぜならば、間隙の均等化（或いは解消）の結果、ロック部材Ｌ１のなめらかな回動及びビットＳｒｉの軸部ＳＬに対する均等な付勢が可能となる。さらに、ビットＳｒｉの溝ＧＳＬへの嵌脱動作が安定化する。なお、突起Ｌｃ及びＬｃｒはロック部材Ｌ１中で少なくとも１つ設けられていれば、ロック部材Ｌ１のがたつきを抑制することができる。
【００５１】
図５を参照して、半殻体Ｓｈ１と半殻体Ｓｈ１ｒとが結合されて構成されたロック部材Ｌ１について更に説明する。図５（ａ）に上から見たロック部材Ｌ１を示し、図５（ｂ）に半殻体Ｓｈ１ｒ側から見たロック部材Ｌ１を示し、図５（ｃ）に下から見たロック部材Ｌ１を示し、図５（ｄ）に半殻体Ｓｈ１側から見たロック部材Ｌ１を示し、図５（ｅ）に側方から見たロック部材Ｌ１を示す。
【００５２】
図５（ａ）及び図５（ｃ）に、ロック部材Ｌ１の内面の上部及び下部に、領域Ｓｇ’及び領域Ｓｇｒ’と、領域Ｓｇ及び領域Ｓｇｒとのそれぞれが形成する回動案内手段ＭＧが見て取れる。図５（ｂ）に、回動案内手段ＭＧがロック部材Ｌ１の内面の上下２箇所に形成されているのが見て取れる。
【００５３】
図５（ａ）に、ロック部材Ｌ１の内面から、ビットＳｒｉと突起Ｌｃとが求心方向に突出しているのが見て取れる。上から（軸方向Ｄｓに）見たロック部材Ｌ１の外形状は楕円形状である。これは、端面Ｓｅ及び端面Ｓｅｒに結合手段を内包した結果である。
【００５４】
図５（ｂ）及び図５（ｄ）に見て取れるように、筒状部ＣＬ１は、軸方向Ｄｓにおける上端部及び下端部に比して中央部が遠心方向に膨出するように形成されている。膨出量は、楕円形状であるロック部材Ｌ１の外形の長軸の両端部に相当する、結合手段を内包する部分で最大となる。
【００５５】
図５（ｃ）に見て取れるように、領域Ｓｇｒ及び領域Ｓｇから、ロック部材Ｌ１の回動軸Ａｒ（中心軸Ａｃ）に関して対称となる位置に、ビットＳｒｉ及び突起Ｌｃｒと突起Ｌｃとが求心方向に突出するように設けられている。溝Ｇと溝Ｇｒとは、楕円形状であるロック部材Ｌ１の外形の短軸上に、互いに対向するように設けられている。
【００５６】
図５（ｄ）及び図５（ｅ）には、半殻体Ｓｈ１と半殻体Ｓｈ１ｒとを結合する手段の内、互いに結合された状態の爪部Ｃｆｒ及び板状部Ｐｅが示されている。同図から、爪部Ｃｆｒの返り部が板状部Ｐｅに係止している様子が見て取れる。爪部Ｃｆｒの返り部と板状部Ｐｅとはそれぞれ一部分が、開口Ｈｃを通じてロック部材Ｌ１の外面に露出している。これにより、必要に応じて、開口Ｈｃを介して外部から爪部Ｃｆｒの返り部と板状部Ｐｅとの係合を解除することができる。
【００５７】
上述のように、筒状部ＣＬ１は内部には回動案内手段ＭＧにより規定される円柱状の空間が形成されているが、外形状は中心軸Ａｃからの円周方向及び半径方向の距離が部位によって異なる。ロック部材Ｌ１（筒状部ＣＬ１）を回動させるには、中心軸Ａｃからの半径方向の距離が大きい部分を手がかりとすることが効果的である。例えば、筒状部ＣＬ１の中心軸Ａｃ（回動軸Ａｒ）に対して対称に設けられている、楕円形状であるロック部材Ｌ１の外形の長軸の両端部の近傍を手がかりとすることが効果的である。
【００５８】
この観点からは、楕円形状であるロック部材Ｌ１の外形の短軸の両端部は回動の手がかりとしては効果的ではない。しかしながら、短軸の両端部（中心軸Ａｃに対して対称）に設けられている溝Ｇｒ及びＧにおいては、膨出量が最大である筒状部ＣＬ１の中央部で、側面Ｇｓｒ及びＧｓの幅（底面Ｇｂｒ及びＧｂと表面との半径差に相当）が最大となる。よって、側面Ｇｓｒ及びＧｓのこの部分を手がかりとして効率良く、筒状部ＣＬ１を回動させることができる。このように、楕円形状である筒状部ＣＬ１の外形の長軸側の端部及び短軸側の端部のどちらも回動の手がかりとして構成されている。
【００５９】
図６を参照して、半殻体Ｓｈ１について更に説明する。図６（ａ）に上から見た半殻体Ｓｈ１を示し、図６（ｂ）に内面側から見た半殻体Ｓｈ１を示し、図６（ｃ）に下から見た半殻体Ｓｈ１を示し、図６（ｄ）に外面側から見た半殻体Ｓｈ１を示し、図６（ｅ）に側方から見た半殻体Ｓｈ１を示す。
【００６０】
図６（ｂ）及び図６（ｄ）に、半殻体Ｓｈ１を半殻体Ｓｈ１ｒと結合する手段である嵌合穴Ｈｉ及び板状部Ｐｅが示されている。図３（ｂ）を参照して上述したように、板状部Ｐｅは、開口Ｈｃの溝Ｇ側の部分とは重なっていないことが見て取れる。
【００６１】
図７を参照して、半殻体Ｓｈ１ｒについて更に説明する。図７（ａ）に上から見た半殻体Ｓｈ１ｒを示し、図７（ｂ）に内面側から見た半殻体Ｓｈ１ｒを示し、図７（ｃ）に下から見た半殻体Ｓｈ１ｒを示し、図７（ｄ）に外面側から見た半殻体Ｓｈ１ｒを示し、図７（ｅ）に側方から見た半殻体Ｓｈ１ｒを示す。
【００６２】
図７（ａ）、図７（ｂ）、及び図７（ｃ）に見て取れるように、各端面Ｓｅｒに、一組の突起Ｐｉ及びＰｉと爪部Ｃｆｒとが、各突起Ｐｉの端面と爪部Ｃｆｒの返り部の端面とが軸方向Ｄｓに並ぶように配置されている。つまり、左右の端面Ｓｅｒにおいて、それぞれの一組の突起Ｐｉ及びＰｉと爪部Ｃｆｒとは、中心軸Ａｃ（好ましくは、回動軸Ａｒ）に関して対称に配置されている。
【００６３】
次に図８を参照してロック状態の連結具ＳＨＬ１におけるロック部材Ｌ１の位置について更に説明し、その後図９を参照してロック解除状態の連結具ＳＨＬ１におけるロック部材Ｌ１の位置について更に説明する。
【００６４】
図８（ａ）に操作部Ｋｎ側から見たロック状態の連結具ＳＨＬ１を示し、図８（ｂ）に図８（ａ）における矢印ＶＩＩＩＢの方向から見た連結具ＳＨＬ１を示し、図８（ｃ）には図８（ｂ）における矢印ＶＩＩＩＣの方向から見た連結具ＳＨＬ１を示す。
【００６５】
図８（ａ）及び図８（ｂ）に見て取れるように、ロック状態の連結具ＳＨＬ１において、ビットＳｒｉが軸部ＳＬの溝ＧＳＬに嵌まることによりロック部材Ｌ１の回動方向Ｄｒにおける位置決めがなされている。具体的には、ロック部材Ｌ１は座部Ｒｅ１が軸方向Ｄｓ上で操作部Ｋｎと対向する位置に位置決めされる。より詳しくは、座部Ｒｅ１及び背部Ｒｂはそれぞれつまみ部Ｋｎａ及び接続部Ｋｎｂに対向する。ユーザの意思に反して操作部Ｋｎが大径部ＰＭＤ側に移動されると、操作部Ｋｎのつまみ部Ｋｎａはロック部材Ｌ１の座部Ｒｅ１に当接し、ユーザの意思に反する操作部ＫｎつまりスライドバーＳｂの移動（後退）が防止される。この場合、背部Ｒｂはつまみ部Ｋｎａと軸部ＳＬとの間の空間に位置するので、接続部Ｋｎｂとの当接により座部Ｒｅ１の遠心方向の逃げ変形の防止が期待できる。
【００６６】
図９（ａ）に操作部Ｋｎ側から見たロック解除状態の連結具ＳＨＬ１を示し、図９（ｂ）に図９（ａ）における矢印ＩＸＢの方向から見た連結具ＳＨＬ１を示し、図９（ｃ）には図９（ｂ）における矢印ＩＸＣの方向から見た連結具ＳＨＬ１を示す。
【００６７】
図９（ａ）〜図９（ｃ）に見て取れるように、ロック解除状態の連結具ＳＨＬ１において、ビットＳｒｉは溝ＧＳＬ中ではなく、軸部ＳＬの表面上に位置している。座部Ｒｅ１は軸方向Ｄｓ上で操作部Ｋｎと対向していない。操作部ＫｎつまりスライドバーＳｂは、操作部Ｋｎの下端部が筒状部ＣＬ１の上端部に当接するまでの距離だけ移動（後退）できる。操作部Ｋｎを大径部ＰＭＤ側へ移動させることにより、フック部Ｈｏを開放できる。
【００６８】
（実施の形態２）
以下に図１０、図１１、図１２、図１３、及び図１４を参照して、本発明の実施の形態２に係る動物用の連結具について説明する。連結具ＳＨＬ２（図１３、図１４）は、ロック部材Ｌ１（図１）がロック部材Ｌ２に置き換えられる点を除いて上述の連結具ＳＨＬ１（図１）と同様に構成されている。ロック部材Ｌ２は、筒状部ＣＬ１（図３）が筒状部ＣＬ２に置き換えられる点を除いて上述のロック部材Ｌ１（図３）と同様に構成されている。同様に、半殻体Ｓｈ１ｒ及び半殻体Ｓｈ１（図３）がそれぞれ半殻体Ｓｈ２ｒ及び半殻体Ｓｈ２に交換されている。以下、図１０〜図１２を参照して、ロック部材Ｌ２を構成する半殻体Ｓｈ２ｒ及び半殻体Ｓｈ２の構成について説明する。その後図１３〜図１４を参照して、連結具ＳＨＬ２におけるロック部材Ｌ２の位置について説明する。
【００６９】
図１０（ａ）及び図１０（ｂ）に示すように、半殻体Ｓｈ２ｒ及び半殻体Ｓｈ２は、領域Ｓｇｒ及び領域Ｓｇにビット状の突起Ｌｃｒ（図４）及び突起Ｌｃ（図３）の代わりに帯状のクッション材Ｃｒ及びＣが設けられている点を除いて、それぞれ半殻体Ｓｈ１ｒ及び半殻体Ｓｈ１（図３、図４）と同様に構成されている。
【００７０】
同図に見て取れるように、クッション材Ｃｒは、領域Ｓｇｒの軸方向Ｄｓにおける略中央の位置に設けられて、領域Ｓｇｒの軸方向Ｄｓ及び周方向における略中央の位置から円周方向に端面Ｓｅｒ及びＳｅｒに向かって所定の長さだけ延在している。同様に、クッション材Ｃは、領域Ｓｇの軸方向Ｄｓにおける略中央の位置に設けられて、領域Ｓｇの軸方向Ｄｓ及び周方向における略中央の位置から円周方向に端面Ｓｅ及びＳｅに向かって所定の長さだけ延在している。つまり、クッション材Ｃｒ及びＣはそれぞれ、領域Ｓｇｒ及びＳｇの一部分において回動方向Ｄｒに沿って延在している。
【００７１】
クッション材Ｃｒ及びＣは、突起Ｌｃｒ（図４）及び突起Ｌｃ（図３）と同様に、半殻体Ｓｈ２ｒと半殻体Ｓｈ２とがロック部材Ｌ２として軸部ＳＬに装着された状態で、軸部ＳＬの外周に圧接されて弾性変形することにより、筒状部ＣＬ２の内面と軸部ＳＬの外周との間の間隙に起因するロック部材Ｌ２のがたつきを抑制する。本実施の形態において、クッション材Ｃｒ及びＣはゴム製であり、領域Ｓｇｒまたは領域Ｓｇに接着されている。
【００７２】
図１１を参照して、半殻体Ｓｈ２について更に説明する。図１１（ａ）に上から見た半殻体Ｓｈ２を示し、図１１（ｂ）に内面側から見た半殻体Ｓｈ２を示し、図１１（ｃ）に下から見た半殻体Ｓｈ２を示し、図１１（ｄ）に外面側から見た半殻体Ｓｈ２を示し、図１１（ｅ）に側方から見た半殻体Ｓｈ２を示す。
【００７３】
図１１（ａ）、図１１（ｃ）、及び図１１（ｄ）に見て取れるように、クッション材Ｃは、溝Ｇの底面Ｇｂ（図１０）の中心から左右に、側面Ｇｓ（図１０）を超えて、領域Ｓｇの回動方向Ｄｒにおける長さの約３分の２にわたって延在している。クッション材Ｃは、突起Ｌｃ（図３）に比して軸部ＳＬの外周との接触面積が大きく、ロック部材Ｌ２のよりなめらかな回動及びビットＳｒｉの軸部ＳＬに対するより均等な付勢が可能となる。クッション材Ｃの長さは、軸部ＳＬに装着した時のロック部材Ｌ２のがたつきの低減及び回動の円滑化の観点から適宜決定される。つまり、クッション材Ｃの長さは、領域Ｓｇの回動方向Ｄｒにおける長さの約３分の２以下であっても良いし、最大で同じ長さであってもよい。
【００７４】
図１２を参照して、半殻体Ｓｈ２ｒについて更に説明する。図１２（ａ）に上から見た半殻体Ｓｈ２ｒを示し、図１２（ｂ）に内面側から見た半殻体Ｓｈ２ｒを示し、図１２（ｃ）に下から見た半殻体Ｓｈ２ｒを示し、図１２（ｄ）に外面側から見た半殻体Ｓｈ２ｒを示し、図１２（ｅ）に側方から見た半殻体Ｓｈ２ｒを示す。
【００７５】
図１２（ｃ）及び図１２（ｄ）に見て取れるように、クッション材Ｃｒは、領域Ｓｇｒの中心から左右に回動方向Ｄｒにおける長さの約３分の２にわたって延在している。これにより、クッション材Ｃｒは、突起Ｌｃｒ（図４）に比して軸部ＳＬの外周との接触面積が大きく、ロック部材Ｌ２のよりなめらかな回動及びビットＳｒｉの軸部ＳＬに対するより均等な付勢が可能としている。クッション材Ｃｒの長さは、軸部ＳＬに装着した時のロック部材Ｌ２のがたつきの低減及び回動の円滑化の観点から適宜決定される。つまり、クッション材Ｃｒの長さは、領域Ｓｇｒの回動方向Ｄｒにおける長さの約３分の２以下であっても良いし、最大で同じ長さであってもよい。
【００７６】
但し、本実施の形態においては、クッション材Ｃｒは溝Ｇｒの底面Ｇｂｒの中心から左右に、側面Ｇｓｒ（図１０）を超えて延在している。これにより、ロック部材Ｌ２を回動させるときに、領域Ｓｇｒと軸部ＳＬとの間でクッション材Ｃｒがより多くの力を受け止めることよって、より効果的にがたつきを抑制でき、回動の円滑化を図っている。
【００７７】
図１１及び図１２から見て取れるように、クッション材Ｃｒ及びＣは、ロック部材Ｌ２の回動軸Ａｒ（中心軸Ａｃ）に関して対称となる位置に設けられている。クッション材Ｃｒ及びＣは、領域Ｓｇｒ及びＳｇが形成する回動案内手段ＭＧの回動方向Ｄｒにおける長さの約３分の２にわたって延在している。
【００７８】
次に図１３及び図１４に、ロック部材Ｌ２により操作部Ｋｎがロックされた状態（ロック状態）及びロック部材Ｌ２により操作部Ｋｎがロック解除された状態（ロック解除状態）の連結具ＳＨＬ２をそれぞれ示す。
【００７９】
より詳しくは、図１３（ａ）に操作部Ｋｎ側から見たロック状態の連結具ＳＨＬ２を示し、図１３（ｂ）に図１３（ａ）における矢印ＸＩＩＩＢの方向から見た連結具ＳＨＬ２を示し、図１３（ｃ）には図１３（ｂ）における矢印ＸＩＩＩＣの方向から見た連結具ＳＨＬ２を示す。図１３（ａ）〜図１３（ｃ）に、ロック部材Ｌ２のクッション材Ｃｒ及びＣがそれぞれ軸部ＳＬの表面に当接している様子が見て取れる。
【００８０】
図１４（ａ）に操作部Ｋｎ側から見たロック解除状態の連結具ＳＨＬ２を示し、図１４（ｂ）に図１４（ａ）における矢印ＸＩＶＢの方向から見た連結具ＳＨＬ２を示し、図１４（ｃ）には図１４（ｂ）における矢印ＸＩＶＣの方向から見た連結具ＳＨＬ２を示す。図１４（ａ）〜図１４（ｃ）に、ロック部材Ｌ２のクッション材Ｃｒ及びＣがそれぞれ軸部ＳＬの表面に当接している様子が見て取れる。
【００８１】
（実施の形態３）
以下に図１５、図１６、図１７、図１８、及び図１９を参照して、本発明の実施の形態３に係る動物用の連結具について説明する。連結具ＳＨＬ３（図１８、図１９）は、ロック部材Ｌ１（図１）がロック部材Ｌ３に置き換えられる点を除いて上述の連結具ＳＨＬ１（図１）と同様に構成されている。ロック部材Ｌ３は、筒状部ＣＬ１（図３）が筒状部ＣＬ３に置き換えられる点を除いて上述のロック部材Ｌ１（図３）と同様に構成されている。同様に、半殻体Ｓｈ１ｒ及び半殻体Ｓｈ１（図３）がそれぞれ半殻体Ｓｈ３ｒ及び半殻体Ｓｈ３に交換されている。以下、図１５〜図１７を参照して、ロック部材Ｌ３を構成する半殻体Ｓｈ３ｒ及び半殻体Ｓｈ３の構成について説明する。その後図１８〜図１９を参照して、連結具ＳＨＬ３におけるロック部材Ｌ３の位置について説明する。
【００８２】
図１５（ａ）及び図１５（ｂ）に示すように、半殻体Ｓｈ３ｒ及び半殻体Ｓｈ３は、領域Ｓｇｒ及び領域Ｓｇに突起Ｌｃｒ（図４）及び突起Ｌｃ（図３）の代わりに、矩形状のクッションビットＣｂｒ及びＣｂを有するクッション手段Ｃ３ｒ及びＣ３が設けられている点を除いて、それぞれ半殻体Ｓｈ１ｒ及び半殻体Ｓｈ１（図３、図４）と同様に構成されている。
【００８３】
同図に見て取れるように、クッション手段Ｃ３ｒは、タブＣｔｒとクッションビットＣｂｒとを含む。タブＣｔｒは、半殻体Ｓｈ３ｒの溝Ｇｒの底面Ｇｂｒに形成されたＵ字状のスリットＳ３ｒによって規定されている。タブＣｔｒは上端部が底面Ｇｂｒ（半殻体Ｓｈ３ｒ）と一体的に連結された固定端部であり、他の部分は半殻体Ｓｈ３ｒから切り離された自由端部である。タブＣｔｒの固定端部は、上述のタブＳｒｔの固定端部と異なり、突出部Ｐｒ１の上端部と比べて厚みの薄い底面Ｇｂｒに連結されている。しかし、タブＣｔｒの固定端部は、底面Ｇｂｒの下部では無く中央部／上部に連結されるので、弾性変形時も底面Ｇｂｒの大きな中央部によって強度をもって保持される。クッションビットＣｂｒは、タブＣｔｒの内面の下端部から求心方向に突出している。
【００８４】
同様に、クッション手段Ｃ３はタブＣｔとクッションビットＣｂとを含む。タブＣｔは、半殻体Ｓｈ３の溝Ｇの底面Ｇｂに形成されたＵ字状のスリットＳ３によって規定されている。タブＣｔは上端部が底面Ｇｂ（半殻体Ｓｈ３）と一体的に連結され、他の部分は半殻体Ｓｈ３から切り離されている。クッションビットＣｂは、タブＣｔの内面の下端部から求心方向に突出している。
【００８５】
クッションビットＣｂｒ及びＣｂは、突起Ｌｃｒ（図４）及び突起Ｌｃ（図３）と同様に、半殻体Ｓｈ３ｒと半殻体Ｓｈ３とがロック部材Ｌ３として軸部ＳＬに装着された状態で、筒状部ＣＬ３の内面と軸部ＳＬの外周との間の間隙に起因するロック部材Ｌ３のがたつきを抑制する。但し、突起Ｌｃｒ及びＬｃは、軸部ＳＬの外周に圧接されて弾性変形することによりロック部材Ｌ１のがたつきを抑制する。つまり、がたつきの抑制能力は、軸部ＳＬと領域Ｓｇｒ或いは領域Ｓｇとの隙間で形状変化しうる突起Ｌｃｒ及びＬｃの体積によって決まる。これは、上述の実施の形態２に係るクッション材Ｃｒ及びクッション材Ｃについても同様である。
【００８６】
具体的には、クッションビットＣｂｒ及びＣｂはそれぞれタブＣｔｒ及びＣｔの内面の下端部から求心方向に突出している。この突出により、ロック部材Ｌ３が軸部ＳＬに取り付けられた時に、クッションビットＣｂｒ及びＣｂが軸部ＳＬの表面で外側に押されて、タブＣｔｒ及びＣｔが弾性変形されることにより、求心力が生じ、クッションビットＣｂｒ及びＣｂは軸部ＳＬの中心部に向かって付勢される。クッションビットＣｂｒ及びＣｂは、軸部ＳＬの中心部に向かって付勢された状態で軸部ＳＬの外周により当接する。タブＣｔｒ及びＣｔは、軸部ＳＬと領域Ｓｇｒ或いは領域Ｓｇとの隙間に制限されること無く弾性変形して、ロック部材Ｌ３のがたつきをより柔軟抑制できる。クッションビットＣｂｒ及びＣｂの形状及び大きさは、軸部ＳＬに装着した時のロック部材Ｌ３のがたつきの低減及び回動の円滑化の観点から適宜決定される。
【００８７】
図１６を参照して、半殻体Ｓｈ３について更に説明する。図１６（ａ）に上から見た半殻体Ｓｈ３を示し、図１６（ｂ）に内面側から見た半殻体Ｓｈ３を示し、図１６（ｃ）に下から見た半殻体Ｓｈ３を示し、図１６（ｄ）に外面側から見た半殻体Ｓｈ３を示し、図１６（ｅ）に側方から見た半殻体Ｓｈ３を示す。
【００８８】
図１６（ａ）、図１６（ｃ）、及び図１６（ｄ）に見て取れるように、クッションビットＣｂは、溝Ｇの底面Ｇｂ（図１５）の中心から左右に、所定の形状及び大きさで設けられている。。クッションビットＣｂは、突起Ｌｃ（図３）に比して軸部ＳＬの外周との接触面積が大きく、ロック部材Ｌ３のよりなめらかな回動及びビットＳｒｉ（図１５）の軸部ＳＬに対するより均等な付勢が可能となる。
【００８９】
図１７を参照して、半殻体Ｓｈ３ｒについて更に説明する。図１７（ａ）に上から見た半殻体Ｓｈ３ｒを示し、図１７（ｂ）に内面側から見た半殻体Ｓｈ３ｒを示し、図１７（ｃ）に下から見た半殻体Ｓｈ３ｒを示し、図１７（ｄ）に外面側から見た半殻体Ｓｈ３ｒを示し、図１７（ｅ）に側方から見た半殻体Ｓｈ３ｒを示す。
【００９０】
図１７（ｃ）及び図１７（ｄ）に見て取れるように、クッションビットＣｂｒは、溝Ｇｒの底面Ｇｂｒ（図１５）の中心から左右に、所定の形状及び大きさで設けられている。クッションビットＣｂｒは、突起Ｌｃｒ（図４）に比して軸部ＳＬの外周との接触面積が大きく、ロック部材Ｌ３のよりなめらかな回動及びビットＳｒｉ（図１５）の軸部ＳＬに対するより均等な付勢が可能となる。さらに、図１６及び図１７から見て取れるように、クッションビットＣｂｒ及びＣｂは、ロック部材Ｌ３の回動軸Ａｒ（中心軸Ａｃ）に関して対称となる位置に設けられている。
【００９１】
次に図１８及び図１９に、ロック部材Ｌ３により操作部Ｋｎがロックされた状態（ロック状態）及びロック部材Ｌ３により操作部Ｋｎがロック解除された状態（ロック解除状態）の連結具ＳＨＬ３をそれぞれ示す。より詳しくは、図１８（ａ）に操作部Ｋｎ側から見たロック状態の連結具ＳＨＬ３を示し、図１８（ｂ）に図１８（ａ）における矢印ＸＶＩＩＩＢの方向から見た連結具ＳＨＬ３を示し、図１８（ｃ）には図１８（ｂ）における矢印ＸＶＩＩＩＣの方向から見た連結具ＳＨＬ３を示す。図１８（ａ）〜図１８（ｃ）に、ロック部材Ｌ３のクッションビットＣｂｒ及びＣｂがそれぞれ軸部ＳＬの表面に当接している様子が見て取れる。
【００９２】
図１９（ａ）に操作部Ｋｎ側から見たロック解除状態の連結具ＳＨＬ３を示し、図１９（ｂ）に図１９（ａ）における矢印ＸＩＸＢの方向から見た連結具ＳＨＬ３を示し、図１９（ｃ）には図１９（ｂ）における矢印ＸＩＸＣの方向から見た連結具ＳＨＬ３を示す。図１９（ａ）〜図１９（ｃ）に、ロック部材Ｌ３のクッションビットＣｂｒ及びＣｂがそれぞれ軸部ＳＬの表面に当接している様子が見て取れる。
【００９３】
（実施の形態４）
以下に図２０、図２１、図２２、図２３、図２４、及び図２５を参照して、本発明の実施の形態４に係る動物用の連結具について説明する。連結具ＳＨＬ４は、ロック部材Ｌ１（図１）がロック部材Ｌ４に置き換えられる点を除いて上述の連結具ＳＨＬ１（図１）と同様に構成されている。図２０（ａ）及び図２０（ｂ）に、ロック部材Ｌ４により操作部Ｋｎがロックされた状態（ロック状態）及びロック部材Ｌ４により操作部Ｋｎがロック解除された状態（ロック解除状態）の連結具ＳＨＬ４をそれぞれ示す。
【００９４】
ロック部材Ｌ４は、ロック部材の一部分（突出部）が操作部Ｋｎに当接することによりスライドバーＳｂの移動（後退）が阻止されること、及びロック部材を軸部ＳＬ周りに回動させることによりスライドバーＳｂがロック状態或いはロック解除状態にされることは、上述のロック部材Ｌ１（実施の形態１）、ロック部材Ｌ２（実施の形態２）、及びロック部材Ｌ３（実施の形態３）と同様である。ロック部材Ｌ４は、上述のロック部材Ｌ１（図３）において、突出部Ｐｒ１及び筒状部ＣＬ１（図３）が突出部Ｐｒ４及び筒状部ＣＬ４にそれぞれ置き換えられている。同様に、半殻体Ｓｈ１ｒ及び半殻体Ｓｈ１（図３）がそれぞれ半殻体Ｓｈ４ｒ及び半殻体Ｓｈ４に交換されている。
【００９５】
突出部Ｐｒ４は、簡単に言うと、上述の突出部Ｐｒ１から座部Ｒｅ１が除去されて背部（Ｒｂ）だけで構成されると共に、回り止めＳｒが回り止めＳｒ４に交換されている。突出部Ｐｒ４の上端部に、座部Ｒｅ１に相当する座部Ｒｅ４が形成されている。回り止めＳｒ４は、突出部Ｐｒ４の上端部（座部Ｒｅ４）の近傍に、逆Ｕ字型のスリットＳ４によって規定されたタブＳｒ４ｔを有する。タブＳｒ４ｔは、下端部が突出部Ｐｒ４の中央部に連結された固定端部であり、他の部分は突出部Ｐｒ４から切り離された自由端部である。タブＳｒ４ｔの固定端部は筒状部ＣＬ４に連続する突出部Ｐｒ４の中央部に連結されるので、弾性変形時も強度をもって保持される。座部Ｒｅ４に関しては、後ほど図２３及び図２４を参照して詳述する。
【００９６】
以下、図２１〜図２３を参照して、ロック部材Ｌ４を構成する半殻体Ｓｈ４ｒ及び半殻体Ｓｈ４の構成について説明する。その後図２４〜図２５を参照して、ロック状態及びロック解除状態の連結具ＳＨＬ４について説明する。
【００９７】
図２１に見て取れるように、半殻体Ｓｈ４の外面には、底面Ｇｂ４及び互いに対向する一組の側面Ｇｓ４によって規定される溝Ｇ４が形成されている。また、半殻体Ｓｈ４ｒの外面には、底面Ｇｂ４ｒ及び互いに対向する一組の側面Ｇｓ４ｒによって規定される溝Ｇ４ｒが形成されている。
【００９８】
半殻体Ｓｈ４ｒの突出部Ｐｒ４には、溝Ｇ４ｒの底面Ｇｂ４ｒと座部Ｒｅ４との間に形成された逆Ｕ字状のスリットＳ４によって規定されるタブＳｒ４ｔを有する回り止めＳｒ４が形成されている。タブＳｒ４ｔは下端部が突出部Ｐｒ４と一体的に連結され、他の部分は突出部Ｐｒ４から切り離されている。タブＳｒ４ｔの内面の上端部から、ビットＳｒ４ｉが求心方向に突出している。ビットＳｒ４ｉは、上述のビットＳｒｉ（図４）と同様に、ロック部材Ｌ４が軸部ＳＬに取り付けられた時に軸部ＳＬの中心部に向かって付勢される。ロック部材Ｌ４がロック位置に位置すると、ビットＳｒ４ｉが付勢力により溝ＧＳＬに嵌まり込むことによって、ロック部材Ｌ４が操作部Ｋｎに対してロック位置に位置決めがなされる。
【００９９】
図２２を参照して、半殻体Ｓｈ４について更に説明する。図２２（ａ）に上から見た半殻体Ｓｈ４を示し、図２２（ｂ）に内面側から見た半殻体Ｓｈ４を示し、図２２（ｃ）に下から見た半殻体Ｓｈ４を示し、図２２（ｄ）に外面側から見た半殻体Ｓｈ４を示し、図２２（ｅ）に側方から見た半殻体Ｓｈ４を示す。
【０１００】
図２２（ａ）及び図２２（ｃ）に見て取れるように、溝Ｇ４の側面Ｇｓ４及びＧｓ４は、底面Ｇｂ４から半殻体Ｓｈ４の外周面に向かって互いの間の距離が大きくなるように設けられている。これにより、ロック部材Ｌ４の側面に他の物体等が接触しても両者の接触は解消されやすく、ロック部材Ｌ４が不用意に回動させられる恐れを低減している。より詳しく言えば、底面Ｇｂ４から見た側面Ｇｓ４に対する当接角が鋭角気味になるために、ロック部材Ｌ４を回動させようとする力は、ビットＳｒ４ｉを溝ＧＳＬから離脱させるほどに大きくはならない。よって、溝Ｇ４に当接した物体は、容易に側面Ｇｓ４の表面を遠心方向に移動して、ロック部材Ｌ４から離脱する。なお、ユーザーは側面Ｇｓ４に対する指の腹の当接角度を調節すると共に、指の腹と溝Ｇ４の底面Ｇｂ４及び側面Ｇｓ４との接触面積が当接物体に比べて大きいので、ロック部材Ｌ４を容易に回動させることができる。
【０１０１】
図２３を参照して、半殻体Ｓｈ４ｒについて更に説明する。図２３（ａ）に上から見た半殻体Ｓｈ４ｒを示し、図２３（ｂ）に内面側から見た半殻体Ｓｈ４ｒを示し、図２３（ｃ）に下から見た半殻体Ｓｈ４ｒを示し、図２３（ｄ）に外面側から見た半殻体Ｓｈ４ｒを示し、図２３（ｅ）に側方から見た半殻体Ｓｈ４ｒを示す。
【０１０２】
図２３（ａ）及び図２３（ｃ）に見て取れるように、溝Ｇ４ｒの側面Ｇｓ４ｒ及びＧｓ４ｒは、底面Ｇｂ４ｒから半殻体Ｓｈ４ｒの外周面に向かって互いの間の距離が大きくなるように設けられている。図２３（ｅ）に見て取れるように、座部Ｒｅ４を構成する突出部Ｐｒ４の上端部は、半殻体Ｓｈ４と共に軸部ＳＬに装着された状態で軸部ＳＬの外周面から離反する方向に湾曲している。
【０１０３】
次に図２４及び図２５に、ロック状態及びロック解除状態の連結具ＳＨＬ４をそれぞれ示す。より詳しくは、図２４（ａ）に操作部Ｋｎ側から見たロック状態の連結具ＳＨＬ４を示し、図２４（ｂ）に図２４（ａ）における矢印ＸＸＩＶＢの方向から見た連結具ＳＨＬ４を示し、図２４（ｃ）には図２４（ｂ）における矢印ＸＸＩＶＣの方向から見た連結具ＳＨＬ４を示す。図２４（ｂ）に、軸部ＳＬの外周面から離反する方向に湾曲している突出部Ｐｒ４の上端部、つまり座部Ｒｅ４に操作部Ｋｎの接続部Ｋｎｂの下端部が当接している様子が見て取れる。つまり、突出部Ｐｒ４はつまみ部Ｋｎａと軸部ＳＬとの間に入り込んだ状態で、座部Ｒｅ４はその湾曲した上面で接続部Ｋｎｂを受け止め、その先端でつまみ部Ｋｎａに当接する。これにより、接続部Ｋｎｂとの当接により突出部Ｐｒ４（座部Ｒｅ４）の遠心方向の逃げ変形の防止が期待できる。
【０１０４】
図２５（ａ）に操作部Ｋｎ側から見たロック解除状態の連結具ＳＨＬ４を示し、図２５（ｂ）に図２５（ａ）における矢印ＸＸＶＢの方向から見た連結具ＳＨＬ４を示し、図２５（ｃ）には図２５（ｂ）における矢印ＸＸＶＣの方向から見た連結具ＳＨＬ４を示す。
【０１０５】
（実施の形態５）
以下に図２６、図２７、図２８、及び図２９を参照して、本発明の実施の形態５に係る動物用の連結具について説明する。連結具ＳＨＬ５は、ロック部材Ｌ４（図２０）がロック部材Ｌ５に置き換えられる点を除いて上述の連結具ＳＨＬ４（図２０）と同様に構成されている。図２６にロック部材Ｌ５により操作部Ｋｎがロックされた状態（ロック状態）の連結具ＳＨＬ５を、図２７にロック部材Ｌ５により操作部Ｋｎがロック解除された状態（ロック解除状態）の連結具ＳＨＬ５をそれぞれ示す。
【０１０６】
以下に、ロック部材Ｌ５の特徴を、上述のロック部材Ｌ１（実施の形態１）、ロック部材Ｌ２（実施の形態２）、ロック部材Ｌ３（実施の形態３）、及びロック部材Ｌ４（実施の形態４）と比較して簡単に述べる。ロック部材Ｌ５は、ロック部材の一部分（突出部）が操作部Ｋｎに当接することによりスライドバーＳｂの移動（後退）が阻止されることは、ロック部材Ｌ１〜Ｌ４と同様である。但し、ロック部材Ｌ１〜Ｌ４はロック部材を軸部ＳＬ周りに回動させることによりスライドバーＳｂがロック状態或いはロック解除状態にされるのに対し、ロック部材Ｌ５はスライドバーＳｂをロック或いはロック解除するために軸部ＳＬ周りの回動を必要としない。図２６及び図２７に見て取れるように、ロック部材Ｌ５によるスライドバーＳｂのロック或いはロック解除は、操作部Ｋｎに当接するロック部材Ｌ５の一部分（後述する突出部Ｐｒ５）が軸方向Ｄｓに沿って移動される（後述する筒状部ＣＬ５に対して変位させられる）ことにより行われる。
【０１０７】
ロック部材Ｌ５は、上述のロック部材Ｌ４（図２０）において、突出部Ｐｒ４及び筒状部ＣＬ４（図２０）が突出部Ｐｒ５及び筒状部ＣＬ５にそれぞれ置き換えられている。同様に、半殻体Ｓｈ４ｒ及び半殻体Ｓｈ４（図２０）がそれぞれ半殻体Ｓｈ５ｒ及び半殻体Ｓｈ５に交換されている。但し、上述のロック部材Ｌ４においては、突出部Ｐｒ４は筒状部ＣＬ４に連続的に形成されると共に半殻体Ｓｈ４ｒと一体的に構成されているが、突出部Ｐｒ５は筒状部ＣＬ５及び半殻体Ｓｈ５ｒとは別体である。突出部Ｐｒ５は、半殻体Ｓｈ５ｒに軸方向Ｄｓに移動可能に取り付けられている。
【０１０８】
突出部Ｐｒ５の上端部に、座部Ｒｅ４（図２０）に相当する座部Ｒｅ５が形成されている。図２６（ｂ）に、突出部Ｐｒ５がつまみ部Ｋｎａと軸部ＳＬとの間に入り込んだ状態で、突出部Ｐｒ５の上端部つまり座部Ｒｅ５に操作部Ｋｎの接続部Ｋｎｂの下端部が当接している様子が見て取れる。
【０１０９】
次に図２８及び図２９に、ロック状態及びロック解除状態のロック部材Ｌ５をそれぞれ示す。図２８（ａ）に上から見たロック状態のロック部材Ｌ５を示し、図２８（ｂ）に半殻体Ｓｈ５ｒ側から見たロック部材Ｌ５を示し、図２８（ｃ）に下から見たロック部材Ｌ５を示し、図２８（ｄ）に半殻体Ｓｈ５側から見たロック部材Ｌ５を示し、図２８（ｅ）に側方から見たロック部材Ｌ５を示す。
【０１１０】
図２８（ｂ）及び図２８（ｄ）に見て取れるように、突出部Ｐｒ５の内面側には、軸方向Ｄｓにおける上端部及び下端部それぞれに、突起Ｐｒ５ａ及びＰｒ５ｂが設けられている。半殻体Ｓｈ５ｒの溝Ｇ５ｒを規定する底面Ｇ５ｂｒには、軸方向Ｄｓにおける上端部及び下端部それぞれに、突起Ｐｒ５ａ及びＰｒ５ｂが嵌合することができる穴Ｈ５ａ及び穴Ｈ５ｂが設けられている。つまり、突起Ｐｒ５ｂが穴Ｈ５ａ及びＨ５ｂのいずれかと嵌合することにより、突出部Ｐｒ５は筒状部ＣＬ５に対して、軸方向Ｄｓに関して上位或いは下位のいずれかに位置を取る。なお、突起Ｐｒ５ａ及びＰｒ５ｂは突起状の代わりに穴として形成し、穴Ｈ５ａ及びＨ５ｂは突起状としてもよい。
【０１１１】
ロック状態のロック部材Ｌ５においては、突起Ｐｒ５ｂと穴Ｈ５ａとによって、突出部Ｐｒ５が筒状部ＣＬ５に対して上位に位置決めされている。これにより、突出部Ｐｒ５はその上端部が筒状部ＣＬ５の上端部から突出し、軸部ＳＬに装着された状態で座部Ｒｅ５が接続部Ｋｎｂの下端に当接する位置で半殻体Ｓｈ５ｒに保持される。
【０１１２】
図２９（ａ）に上から見たロック解除状態のロック部材Ｌ５を示し、図２９（ｂ）に半殻体Ｓｈ５ｒ側から見たロック部材Ｌ５を示し、図２９（ｃ）に下から見たロック部材Ｌ５を示し、図２９（ｄ）に半殻体Ｓｈ５側から見たロック部材Ｌ５を示し、図２９（ｅ）に側方から見たロック部材Ｌ５を示す。
【０１１３】
図２９（ｂ）に見て取れるように、ロック解除状態のロック部材Ｌ５においては、突起Ｐｒ５ａが穴Ｈ５ａに、突起Ｐｒ５ｂが穴Ｈ５ｂにそれぞれ嵌合している。突出部Ｐｒ５は筒状部ＣＬ５に対して下位に位置決めされている。
【０１１４】
（実施の形態６）
以下に図３０、図３１、及び図３２を参照して、本発明の実施の形態６に係る動物用の連結具について説明する。連結具ＳＨＬ６は、ロック部材Ｌ４（図２０）がロック部材Ｌ６に置き換えられる点を除いて上述の連結具ＳＨＬ４（図２０）と同様に構成されている。図３０にロック部材Ｌ６により操作部Ｋｎがロックされた状態（ロック状態）の連結具ＳＨＬ６を、図３１にロック部材Ｌ６により操作部Ｋｎがロック解除された状態（ロック解除状態）の連結具ＳＨＬ６をそれぞれ示す。
【０１１５】
ロック部材Ｌ６は、上述のロック部材Ｌ１〜Ｌ４（実施の形態１〜４）と同様に、軸部ＳＬ周りの回動によりロック部材の一部分（突出部）を操作部Ｋｎに当接可能な位置に置くことによりスライドバーＳｂの移動（後退）が阻止されるロック状態に、或いは阻止されないロック解除状態にされるように構成されている。ロック部材Ｌ６は、上述のロック部材Ｌ４（図２０）において、突出部Ｐｒ４及び筒状部ＣＬ４（図２０）が突出部Ｐｒ６及び筒状部ＣＬ６にそれぞれ置き換えられている。同様に、半殻体Ｓｈ４ｒ及び半殻体Ｓｈ４（図２０）がそれぞれ半殻体Ｓｈ６ｒ及び半殻体Ｓｈ６に交換されている。
【０１１６】
突出部Ｐｒ６は、簡単に言うと、上述の突出部Ｐｒ４において座部Ｒｅ４が座部Ｒｅ６に交換されると共に、回り止めＳｒ４が回り止めＳｒ６に交換されている。図３１（ｂ）に見て取れるように、座部Ｒｅ６は、軸方向Ｄｓと略直交する方向に延在すると共に、中央部分が筒状部ＣＬ６の上端部に向かって湾曲した形状を有する凹部として形成されている。回り止めＳｒ６は、突出部Ｐｒ６の上端部（座部Ｒｅ６）の近傍に形成されたビットＳｒ６ｉを有する。
【０１１７】
図３０（ｂ）に、ロック状態の連結具ＳＨＬ６において、突出部Ｐｒ６がつまみ部Ｋｎａと軸部ＳＬとの間に入り込んだ状態で、突出部Ｐｒ６の上端部つまり座部Ｒｅ６に操作部Ｋｎの接続部Ｋｎｂの下端部が当接している様子が見て取れる。図３０（ａ）に見て取れるように、ビットＳｒ６ｉは溝ＧＳＬに嵌まり込む。これにより、ロック部材Ｌ６が操作部Ｋｎに対してロック位置に位置決めがなされる。
【０１１８】
図３２（ａ）に上から見たロック部材Ｌ６を示し、図３２（ｂ）に半殻体Ｓｈ６ｒ側から見たロック部材Ｌ６を示し、図３２（ｃ）に下から見たロック部材Ｌ６を示し、図３２（ｄ）に半殻体Ｓｈ６側から見たロック部材Ｌ６を示し、図３２（ｅ）に側方から見たロック部材Ｌ６を示す。
【０１１９】
（実施の形態７）
以下に図３３及び図３４を参照して、本発明の実施の形態７に係る動物用の連結具について説明する。連結具ＳＨＬ７は、ロック部材Ｌ４（図２０）がロック部材Ｌ７に置き換えられる点を除いて上述の連結具ＳＨＬ４（図２０）と同様に構成されている。図３３（ａ）にロック部材Ｌ７により操作部Ｋｎがロックされた状態（ロック状態）の連結具ＳＨＬ７を、図３３（ｂ）にロック部材Ｌ７により操作部Ｋｎがロック解除された状態（ロック解除状態）の連結具ＳＨＬ７をそれぞれ示す。
【０１２０】
ロック部材Ｌ７は、突出部Ｐｒ４（図２０）が突出部Ｐｒ７に置き換えられる点を除いて上述のロック部材Ｌ４（図２０）と同様に構成されている。同様に、半殻体Ｓｈ４ｒ（図２０）が半殻体Ｓｈ７ｒに交換されている。
【０１２１】
突出部Ｐｒ７は、簡単に言うと、上述の突出部Ｐｒ４において座部Ｒｅ４が座部Ｒｅ７に交換されている。座部Ｒｅ７は、軸方向Ｄｓと略直交する方向に延在する平板部Ｒｅ７ｐと、平板部Ｒｅ７ｐ上に設けられた一対の突条Ｒｅ７ｒ及びＲｅ７ｒとを有する。座部Ｒｅ７は、半殻体Ｓｈ４と共に軸部ＳＬに装着された状態で、突出部Ｐｒ７の上端部から延出されて軸部ＳＬの外周面から離反する方向に延在している。図示例において、平板部Ｒｅ７ｐの上面に、突条Ｒｅ７ｒ及びＲｅ７ｒによって両者の間に規定される平面視矩形状の領域が設けられている。
【０１２２】
図３３（ａ）に、平板部Ｒｅ７ｐにおける一対の突条Ｒｅ７ｒ間の領域に操作部Ｋｎのつまみ部Ｋｎａの下端部が当接している様子が見て取れる。平板部Ｒｅ７ｐは、上述の座部Ｒｅ１（図１）、座部Ｒｅ４（図２０）、座部Ｒｅ５（図２６）、及び座部Ｒｅ６（図３０）に比してより広い面積で操作部Ｋｎの下端部と当接することができるので、より安定した状態で操作部Ｋｎの下端部を受け止めることができる。
【０１２３】
図３４に、ロック部材Ｌ７を構成する半殻体Ｓｈ７ｒ及び半殻体Ｓｈ４それぞれの構成を示す。座部Ｒｅ７が突出部Ｐｒ７の上端部に設けられている様子が見て取れる。
【産業上の利用可能性】
【０１２４】
本発明は、動物用の連結具に用いることができる。
【符号の説明】
【０１２５】
Ａｃ  中心軸
Ａｒ  回動軸
Ｃｆｒ  爪部
ＣＬ１、ＣＬ２、ＣＬ３、ＣＬ４、ＣＬ５、ＣＬ６  筒状部
Ｃｒ、Ｃ  クッション材
Ｃ３ｒ、Ｃ３  クッション手段
Ｃｔｒ、Ｃｔ  タブ
Ｃｂｒ、Ｃｂ  クッションビット
Ｄｓ  軸方向
Ｄｒ  回動方向
Ｇ、Ｇｒ、Ｇ４、Ｇ４ｒ、Ｇ５ｒ  溝
Ｇｂ、Ｇｂｒ、Ｇｂ４、Ｇｂ４ｒ、Ｇｂ５ｒ  底面
Ｇｓ、Ｇｓｒ、Ｇｓ４、Ｇｓ４ｒ  側面
ＧＳＬ  溝
Ｈ５ａ、Ｈ５ｂ  穴
Ｈｉ  嵌合穴
Ｈｃ  開口
Ｈｏ  フック部
ＨＰ  スナップフック部
Ｋｎ  操作部
Ｋｎａ  つまみ部
Ｋｎｂ  接続部
Ｌ１、Ｌ２、Ｌ３、Ｌ４、Ｌ５、Ｌ６、Ｌ７  ロック部材
Ｌｃｒ、Ｌｃ  突起
Ｐｉ  突起
Ｐｒ１、Ｐｒ４、Ｐｒ５、Ｐｒ６、Ｐｒ７  突出部
Ｒｂ  背部
Ｐｅ  板状部
Ｒｅ１、Ｒｅ４、Ｒｅ５、Ｒｅ６、Ｒｅ７  座部
Ｒｅ７ｐ  平板部
Ｒｅ７ｒ  突条
ＰＭＤ  大径部
Ｐｒ５ａ、Ｐｒ５ｂ  突起
Ｓ、Ｓ３、Ｓ３ｒ、Ｓ４  スリット
Ｓｂ  スライドバー
Ｓｅ、Ｓｅｒ  端面
Ｓｇｒ、Ｓｇ、Ｓｇｒ’、Ｓｇ’  領域
Ｓｈ１ｒ、Ｓｈ１、Ｓｈ２ｒ、Ｓｈ２、Ｓｈ３ｒ、Ｓｈ３、Ｓｈ４ｒ、Ｓｈ４、Ｓｈ５ｒ、Ｓｈ５、Ｓｈ６ｒ、Ｓｈ６、Ｓｈ７ｒ  半殻体
ＳＨＬ１、ＳＨＬ２、ＳＨＬ３、ＳＨＬ４、ＳＨＬ５、ＳＨＬ６、ＳＨＬ７  連結具
ＳＬ  軸部
Ｓｒ、Ｓｒ４、Ｓｒ６  回り止め
Ｓｒｔ、Ｓｒ４ｔ  タブ
Ｓｒｉ、Ｓｒ４ｉ  ビット
ＭＧ  回動案内手段
【図１】
2015035956.tif 000003
【図２】
2015035956.tif 000004
【図３】
2015035956.tif 000005
【図４】
2015035956.tif 000006
【図５】
2015035956.tif 000007
【図６】
2015035956.tif 000008
【図７】
2015035956.tif 000009
【図８】
2015035956.tif 000010
【図９】
2015035956.tif 000011
【図１０】
2015035956.tif 000012
【図１１】
2015035956.tif 000013
【図１２】
2015035956.tif 000014
【図１３】
2015035956.tif 000015
【図１４】
2015035956.tif 000016
【図１５】
2015035956.tif 000017
【図１６】
2015035956.tif 000018
【図１７】
2015035956.tif 000019
【図１８】
2015035956.tif 000020
【図１９】
2015035956.tif 000021
【図２０】
2015035956.tif 000022
【図２１】
2015035956.tif 000023
【図２２】
2015035956.tif 000024
【図２３】
2015035956.tif 000025
【図２４】
2015035956.tif 000026
【図２５】
2015035956.tif 000027
【図２６】
2015035956.tif 000028
【図２７】
2015035956.tif 000029
【図２８】
2015035956.tif 000030
【図２９】
2015035956.tif 000031
【図３０】
2015035956.tif 000032
【図３１】
2015035956.tif 000033
【図３２】
2015035956.tif 000034
【図３３】
2015035956.tif 000035
【図３４】
2015035956.tif 000036
【図３５】
2015035956.tif 000037
【図３６】
2015035956.tif 000038
【図３７】
2015035956.tif 000039
【図３８】
2015035956.tif 000040
【図３９】
2015035956.tif 000041